(57)【要約】【課題】片手でタオルや洗濯物等の着脱ができるピンチを提供する。【解決手段】一対の挟持片の両中央部分を回動自在に軸支して先端部と後端部が交互に開閉する如く形成し，該挟持片の先端部を下方に後端部を上方に配設して先端部内側を弾性変形自在の把持部と成し，該把持部を開閉すると共に閉鎖保持する開閉保持手段を挟持片の後半部に設けたことを特徴とするピンチである。【選択図】図２３
2011212435.tif 000002
【特許請求の範囲】
【請求項１】
一対の狭持片を有し，当該狭持片の
略中央部分で前記狭持片同士が回動自在に軸支され，
先端側に弾性変形する把持部を有し，
後端側に一対のレバー片を有し，
前記レバー片は，
その端部で可動軸により接続され，
その端部と自由端との間に狭持片の後端側にて回転自在に軸支された連接軸を有する，
ことを特徴とするピンチ。
【請求項２】
ピンチに対して相対上下動して前記自由端を押す押下手段を備えたことを特徴とする請求項１に記載のピンチ。
【請求項３】
上部基板に，請求項１又は２に記載のピンチが吊るされ，
下部基板に，前記ピンチの狭持部が通り，且つ，開いた状態のレバー片の自由端の間隔より小さい穴が設けられ，
前記ピンチを引き上げる懸垂紐を有することを特徴とする吊り具。
【請求項４】
上部基板に，請求項１又は２に記載のピンチが吊るされ，
下部基板に，前記ピンチの狭持部が通り，且つ，開いた状態のレバー片の自由端の間隔より小さい穴が設けられ，
前記上部基板と下部基板とが相対上下動することを特徴とする吊り具。
【発明の詳細な説明】
【技術分野】
【０００１】
本発明は，簡単な操作でタオルや洗濯物等の着脱ができるピンチ及び吊り具に関する。
【背景技術】
【０００２】
従来から，片手の操作だけでタオルや洗濯物等の着脱が出来る洗濯ばさみとして，特許文献１に係る発明が提案されている。この特許文献１に係る洗濯ばさみは，２つの挟持部材で洗濯物を挟み込んで保持する洗濯ばさみにおいて，前記挟持部材が平行する２本の回動軸にそれぞれ軸支されているとともに，ある角度で互いに当接して前記挟持部材がそれ以上内側に倒れるのを阻止する当接面を具えることを特徴としている。
【先行技術文献】
【特許文献】
【０００３】
【特許文献１】特開２００７−２１１８７号公報
【０００４】
しかし，特許文献１に係る洗濯ばさみは，洗濯物の自重によって２つの挟持部材を内側に倒れこませ，該倒れこみにより洗濯物が滑り落ちることを防止するもので，挟持部材の挟持面を，洗濯物との摩擦抵抗が十分となるよう例えば互いに歯合するような凹凸に形成する工夫等が必要であった。このため，挟持されるタオルや洗濯物等は，係る凹凸によって傷む場合があるという課題があった。
【発明の概要】
【発明が解決しようとする課題】
【０００５】
本発明が解決しようとする課題は，片手の操作だけでタオルや洗濯物等の着脱ができ，且つ該タオルや洗濯物等が傷むことがないピンチ及び吊り具を提供することにある。
【課題を解決するための手段】
【０００６】
本発明のピンチは，一対の狭持片を有し，当該狭持片の略中央部分で前記狭持片同士が回動自在に軸支され，先端側に弾性変形する把持部を有し，後端側に一対のレバー片を有し，前記レバー片は，その端部で可動軸により接続され，その端部と自由端との間に狭持片の後端側にて回転自在に軸支された連接軸を有することを特徴とするピンチ。
【０００７】
また，本発明のピンチは，上記発明において，ピンチに対して相対上下動して前記自由端を押す押下手段を備えたことを特徴とする。
【０００８】
また，本発明の吊り具は，上部基板に，上記ピンチが吊るされ，下部基板に，前記ピンチの狭持部が通り，且つ，開いた状態のレバー片の自由端の間隔より小さい穴が設けられ，前記ピンチを引き上げる懸垂紐を有することを特徴とする。
【０００９】
また，本発明の吊り具は，上部基板に，上記ピンチが吊るされ，下部基板に，前記ピンチの狭持部が通り，且つ，開いた状態のレバー片の自由端の間隔より小さい穴が設けられ，前記上部基板と下部基板とが相対上下動することを特徴とする。
【図面の簡単な説明】
【００１０】
【図１】別発明に係るロールペーパー巻取り器の一実施例の全体斜視図である。
【図２】別発明に係るロールペーパー巻取り器の一実施例にロールペーパーをセットした状態を示す全体斜視図である。
【図３】別発明に係るロールペーパー巻取り器の一実施例において，左側巻取り部と右側巻取り部の両回転軸が手前下方に開放することを示す状態斜視図である。
【図４】別発明に係るロールペーパー巻取り器の一実施例において，左側巻取り部の状態を示す状態斜視図である。
【図５】別発明に係るロールペーパー巻取り器の一実施例において，左側巻取り部が右手によって潰れる状態となり，巻回積層状態にあるロールペーパーを容易に取り外すことが出来ることを示す状態斜視図である。
【図６】別発明に係るロールペーパー巻取り器の一実施例において，左側巻取り部に係る他の実施例の一つを示す状態斜視図である。
【図７】別発明に係るロールペーパー巻取り器の一実施例において，左側巻取り部に係る他の実施例の一つを示す状態斜視図である。
【図８】別発明に係るロールペーパー巻取り器の一実施例において，左側巻取り部に係る他の実施例の一つを示す状態斜視図である。
【図９】別発明に係るロールペーパー巻取り器の一実施例において，左側巻取り部に係る他の実施例の一つを示す状態斜視図である。
【図１０】別発明に係るロールペーパー巻取り器の一実施例において，左側巻取り部と右側巻取り部との間にロールペーパーの先端部を左手の親指で押し込んでいる状態を示す側面状態図である。
【図１１】別発明に係るロールペーパー巻取り器の一実施例において，左側巻取り部と右側巻取り部との間でロールペーパーの先端部を挟持し，左手で巻取り部を回転させることにより，ロールペーパーを巻取り部に巻回させている状態を示す側面状態図である。
【図１２】別発明に係るロールペーパー巻取り器の一実施例において，巻取り部に巻回されたロールペーパーを左手の親指と他の指とで挟み込むようにして把持しようとしている状態を示す側面状態図である。
【図１３】別発明に係るロールペーパー巻取り器の一実施例において，巻取り部に巻回されたロールペーパーを左手の親指と他の指とで挟み込み，左側巻取り部と右側巻取り部を潰した状態にて，把持している状態を示す側面状態図である。
【図１４】別発明に係るロールペーパー巻取り器の一実施例において，巻回積層状態にあるロールペーパーを巻取り部より抜き取り，ブレード部の先端に該ロールペーパーの後端が拘束されて，カッター部にてロールペーパーを容易に切断することが出来ることを示す側面状態図である。
【図１５】別発明に係るロールペーパー巻取り器の一実施例において，ロールペーパーが切断され，ロールペーパーの新たな先端部が左側巻取り部と右側巻取り部との間に挟持されて，連続して巻取り部にロールペーパーを巻き取ることが出来ることを示す側面状態図である。
【図１６】別発明に係るロールペーパー巻取り器の一実施例において，巻取りハンドル部を使用して，またはフランジ部を右手で回転させることにより，巻取り部にロールペーパーを巻き取ることが出来ることを示す状態斜視図である。
【図１７】別発明に係るロールペーパー巻取り器の一実施例において，巻取り部にロールペーパーが巻き取られた状態を示す状態斜視図である。
【図１８】別発明に係るロールペーパー巻取り器の一実施例において，巻取り部に巻き取られたロールペーパーを右手で抜き取る際に，左側巻取り部と右側巻取り部の両回転軸が手前下方に開放することを示す状態斜視図である。
【図１９】別発明に係るロールペーパー巻取り器であって，巻取り部を上方に設け，ロールペーパー保持部を下部に設けた一実施例を示す全体斜視図である。
【図２０】別発明に係るロールペーパー巻取り器であって，巻取り部を上方に設け，ロールペーパー保持部を下部に設けた一実施例にロールペーパーをセットした状態を示す全体斜視図である。
【図２１】別発明に係るロールペーパー巻取り器であって，巻取り部を左側に設け，ロールペーパー保持部を右側に設けた一実施例を示す全体斜視図である。
【図２２】別発明に係るロールペーパー巻取り器であって，巻取り部を左側に設け，ロールペーパー保持部を右側に設けた一実施例にロールペーパーをセットした状態を示す全体斜視図である。
【図２３】本発明に係るピンチの一実施例の全体斜視図である。
【図２４】本発明に係るピンチの一実施例であって，把持部にタオルを挟持した状態を示す正面状態図である。
【図２５】本発明に係るピンチの一実施例であって，懸垂移動手段により可動軸を懸垂移動させ始めた状態を示す正面状態図である。
【図２６】本発明に係るピンチの一実施例であって，懸垂移動手段により可動軸を懸垂し把持部が開き始めた状態を示す正面状態図である。
【図２７】本発明に係るピンチの一実施例であって，懸垂移動手段により可動軸が上方まで移動して把持部が開放した状態を示す正面状態図である。
【図２８】本発明に係るピンチの一実施例であって，懸垂移動手段により可動軸を上方まで移動させて把持部を開放させた後，握り玉を基板上に静置した状態を示す状態斜視図である。
【図２９】本発明に係るピンチの一実施例において，可動軸を人差し指で引き下げ，タオルを親指と薬指で挟みながら把持部に該タオルを挟持させる状態を示す状態斜視図である。
【図３０】本発明に係るピンチの一実施例を，同じく別発明に係るロールペーパー巻取り器の一実施例に併設し，ピンチの把持部にタオルを挟持した状態を示す状態斜視図である。
【図３１】別発明の実施例３の変形例を示す斜視図である。
【図３２】別発明の実施例１の変形例を示す斜視図である。
【図３３】巻き取り体の変形例を示す斜視図である。
【図３４】ピンチの把持片の変形例を示す説明図である。
【図３５】巻き取りハンドル部の変形例を示す斜視図である。
【図３６】巻き取りハンドル部の変形例を示す斜視図である。
【図３７】ピンチの別の変形例を示す説明図である。
【図３８】本発明の実施例５に係る洗濯干しを示す斜視図である。
【図３９】本発明の実施例５に係るピンチを示す斜視図である。
【図４０】本発明の実施例５のピンチの上部基板への取り付け状態を示す説明図である。
【図４１】本発明の実施例５に係る洗濯干しのピンチの動作を示す説明図である。
【図４２】本発明の実施例６に係る洗濯干しを示す説明図である。
【図４３】本発明の実施例７に係る洗濯干しを示す説明図である。
【発明を実施するための形態】
【００１１】
まず，本発明の吊り具を適用する一例であるロールペーパー巻取り器の発明の実施例を図１乃至図２２に基づき詳細に説明する。
【実施例１】
【００１２】
以下にロールペーパー巻取り器の実施例としてトイレットペーパーを対象とした構造を例示するが，本発明の適用対象はこれに限定されない。例えば，キッチンや店舗用のロールペーパー等にも適用可能である。また，工業用として用いるロールペーパーにも適用できる。
【００１３】
図１は，本発明の一実施例であるロールペーパー巻取り器１０の全体斜視図であって，巻き取られる元のロールペーパー１を回転自在に保持するロールペーパー保持部２が上部に設けられ，左側巻取り部３と右側巻取り部４にて一体と成した巻取り部５が下部に配設されている。
【００１４】
左側巻取り部３は図４に示すように，外周部が凹凸状に形成されたフランジ部３ａに，弾性スポンジ製で円筒形状の左側巻取り体３ｂが固着され，その外周部は例えばポリ塩化ビニール等の表面が平滑なフィルム３ｃが貼着されている。このため図５に示すように，片方の手で容易に左側巻取り体３ｂを押し潰すことができ，これにより巻取り部５に巻回され積層状態にあるロールペーパー１ａを，平滑なフィルム３ｃの表面を滑らせるようにして容易に抜き取ることが出来るように成っている。
【００１５】
このように左側巻取り部３は全体として弾性変形自在に形成されているが，右側巻取り部４も，該左側巻取り部３と同一に形成され，弾性スポンジ製で円筒形状の右側巻取り体４ｂがフランジ部４ａに固着されている。また，この左側巻取り部３及び右側巻取り部４は，容易につぶすことができるようにするため，内部がうす状にくりぬかれている。
【００１６】
なお，左側巻取り体３ｂおよび右側巻取り体４ｂの形状は，図６乃至図９に示すようにさまざまな形状とすることができる。図６に示した左側巻取り体３３ｂは中央部が凹んだ臼型をしていて，かつ周囲に放射状に切れ込み３３ｃが設けられている。該切れ込み３３ｃには巻き取ろうとするロールペーパー１の端部が容易に入り込み，結果としてロールペーパー１の先端部を保持しやすい。
【００１７】
図７に示す左側巻取り体３４ｂは三角筒型をしており，図８の左側巻取り体３５ｂは周囲が凹凸した歯車型をしている。また図９の左側巻取り体３６ｂは板状であり，いずれも同一形状の右側巻取り体と一体となって巻取り部５を形成することが出来る。
【００１８】
右側巻取り部４は左側巻取り部３と同様に，フランジ部４ａの中心部に回転軸４ｄが固着され，該回転軸４ｄは図１に示すように，回動軸受部６に嵌挿されている。これにより右側巻取り部４は回転軸４ｄを中心に回転自在に軸支されている。回転軸４ｄの端部には回転円板７ａが固着され，該回転円板７ａの周縁部には巻取りハンドル７ｂが回転自在に固着されている。該回転円板７ａと巻取りハンドル７ｂにて巻取りハンドル部７と成し，巻取りハンドル７ｂを回転円板７ａが回転するように周回操作することにより巻取りハンドル部７全体が回転し，結果として右側巻取り部４が回転する。
【００１９】
右側巻取り部４が回転すると，該右側巻取り部４に当接している左側巻取り部３も同時に回転し，巻取り部５として一体状態で回転する。
【００２０】
左側巻取り部３は，右側巻取り部２と同一に形成され，フランジ部３ａの中心に回転軸３ｄが固着され，該回転軸３ｄは回動軸受部８に嵌挿されている。回転軸３ｄの端部には回転円板９ａが固着され，該回転円板９ａの周縁部には巻取りハンドル９ｂが回転自在に固着されている。該回転円板９ａと巻取りハンドル９ｂにて巻取りハンドル部９と成し，巻取りハンドル９ｂを回転円板９ａが回転するように周回操作することにより巻取りハンドル部９全体が回転し，結果として左側巻取り部３が回転する。
【００２１】
左側巻取り部３が回転すると，該左側巻取り部３に当接している右側巻取り部４も同時に回転し，巻取り部５として一体状態で回転する。
【００２２】
回転軸受部６は図１および図３に示すように，外周側面部の対称位置に，回動軸１１ａ，１１ｂが固着され，該回動軸１１ａ，１１ｂは，略コの字状の回動軸受板１２の内側に回転自在に固着されている。
【００２３】
回転軸受部８は，回転軸受部６と同様に，外周側面部の対称位置に，回動軸１３ａ，１３ｂが固着され，該回動軸１３ａ，１３ｂは，略コの字状の回動軸受板１４の内側に回転自在に固着されている。
【００２４】
回動軸受板１２，１４は，本体側面１０ａ，１０ｂに，コの字形状の開放部分が斜め下方に向くように固着され，また左側巻取り部３と右側巻取り部４の回転軸３ｄと４ｄの回転軸が一致し，さらには左側巻取り部３の左小口部であるフランジ部３ａを右方向に付勢し，右側巻取り部４の右小口部であるフランジ部４ａを左方向に付勢するような状態で，左側巻取り部３と右側巻取り部４が一体となって巻取り部５と成るように固着されている。
【００２５】
巻取り部５は上記のように形成されているため，図１６のように巻取りハンドル７ｂ，９ｂの周回操作，またはフランジ部３ａ，４ａの凹凸状の外周部を手の平や指で下向きの接線方向に回転させることにより，巻取り部５が回転する如く成っている。
【００２６】
また，回転軸受部６，８は回動軸１０ａ，１０ｂ，または１３ａ，１３ｂを軸にして，回動軸受板１２，１４のコの字形状の開放部分方向に回動する如く形成されているため，左側巻取り部３と右側巻取り部４の回転軸３ｄ，４ｄが手前下方向に開放自在となり，図３に示すように左側巻取り部３と右側巻取り部４は，その当接部分から分割して開く。
【００２７】
巻取り部５の上方には，図１，図２，図１０乃至図１５に示すように，巻き取られるロールペーパー１の繰り出し流路を巻取り部側に規制する丸棒形状の規制手段１５が，巻取り部５の外周と並行に回転自在に設けられ，該規制手段１５の下方にはドクターナイフ状のブレード部１６が，巻取り部５の回転軸３ｄ，４ｄと並行に設けられている。またブレード部１６の先端にはシリコンゴムやスポンジ等の先細の弾性体１６ａが固着されている。
【００２８】
巻き取ろうとするロールペーパー１の端部は規制手段１５とブレード部１６との間を通過させるが，丸棒形状の規制手段１５には，正面から見て中央部に該通過するロールペーパー１の中央部の一部を，ブレード部１６とで挟持するための円筒状の駒１５ａが固着されている。
【００２９】
規制手段１５は，図１０に示すように，巻取り部５にロールペーパー１が巻き取られる際には該ロールペーパー１が当接し，巻取り部に巻回したロールペーパーを左側巻取り部３と右側巻取り部４との当接部間を下方向に通過させて抜き取る際には，図１３および図１４に示すように，ブレード部１６の先端の弾性体１６ａが撓みながら当接する如く形成されている。なお，規制手段１５は省略しても良い。また，規制手段１５の駒１５ａのみを省略しても良い。
【００３０】
巻取り部５の下方には本体底面部１０ｃと一体形状に形成された鋸歯状のカッター部１７が設けられている。またロールペーパー保持部２の外側には，半透明のロールペーパーカバー１８が開閉自在に設けられている。
【００３１】
（操作手順）
実施例１に係るロールペーパー巻取り器１０は上記のように形成されているが，次にロールペーパー１を巻取り部５にセットし，片手にてロールペーパー１を巻取り部５に巻回させ，巻取り部５より巻回積層状態のロールペーパーを抜き取って，切り取る，という操作の手順について図１０乃至図１８に基づいて説明する。
【００３２】
片手での操作は，図１０に示すように，ロールペーパー１の先端部が規制手段１５とブレード部１６間に挿通されている状態から行われる。もちろん規制手段１５とブレード部１６が設けられていない本発明に係るロールペーパー巻取り器にあっては，ロールペーパー１の先端部を規制手段１５とブレード部１６間に挿通させることは不要である。
【００３３】
まず図１０のように片手の親指にてロールペーパー１の先端部を左側巻取り部３と右側巻取り部４との当接部間に押し込む。左側巻取り部３の左側巻取り体３ｂと右側巻取り部４の右側巻取り体４ｂは弾性スポンジで形成されているため，容易に変形し，またスポンジの表面は凹凸状であるため，左側巻取り部３の右小口と右側巻取り部の左小口との間でしっかりと挟持される。
【００３４】
次に，同じ側の手指を使って図１６のように巻取りハンドル部７または９の巻取りハンドル７ｂまたは９ｂを周回させるか，図１１のように左側巻取り部３のフランジ部３ａまたは右側巻取り部４のフランジ部４ａを手のひらや指で下方向に回転させ，巻取り部５にロールペーパー１を巻回させる。この際ロールペーパー１はその上面が規制手段１５に当接し，該当接が抵抗となって必要以上にロールペーパー１が繰り出されることがなく，また巻取り部５が慣性力により必要以上に回転してロールペーパー１を過剰に巻き取ることが無い。また，規制手段１５は，ロールペーパー１が引っ張られる際，当該ロールペーパーが右側巻取り部４及び左側巻取り部３の間に入るよう導く。
【００３５】
かかる操作によって巻取り部５にロールペーパー１が巻回され積層されている状態を示したのが図１７である。
【００３６】
次に巻取り部５に巻回され積層状態のロールペーパー１ａを同じ側の手の親指と他の指とで図１２のように挟み込み，次に図１３のように巻取り部５を潰して変形させる。当該変形により，巻回積層状態のロールペーパー１ａは，左側巻取り部３および右側巻取り部４より滑り出し，図１４のようにさらに該ロールペーパー１ａを下方に引き下げることで巻取り部５より取り外すことが出来る。
【００３７】
下方向に移動したロールペーパー１ａの後端部はブレード部１６の弾性体１６ａに当接し，該当接が抵抗となってロールペーパー１ａをカッター部１７にて切断しやすくなる。一方弾性体１６ａの先端部は下方向に変形し，これによって，該当接部分で不用意に切断することがないようになっている。
【００３８】
ロールペーパー１ａが巻取り部５の当接部間から取り外されると，ロールペーパー１ａの後端部は，左側巻取り部３および右側巻取り部４の弾性変形の復元力により，再び当接部間に挟持され，新たな先端部となる。なお，回動軸受板１２，１４と回動軸受部６，８との間に必要により設けたバネやゴム紐等により，左側巻取り部３および右側巻取り部４を強制的に復元させても良い。かかる状態が図１４および図１５の状態であり，特に図１５では，ロールペーパー１の新たな先端部が巻取り部５の当接部間に挟持され，左手にて巻取り部５をわずかに回転させて，ロールペーパー１を巻取り部５に巻回させようとしている。
【００３９】
巻回され積層状態にあるロールペーパー１ａを巻取り部５の当接部間から引き抜く際には，図１８に示すように左側巻取り部３が軸（１３ａ，１３ｂ）を中心に手前方向に回動し，右側巻取り部４は軸１１ａ，１１ｂを中心に手前方向に回動することで，当接部間が開き，ロールペーパー１ａが巻取り部５より取り外し易くなっている。
【００４０】
以上の説明で明らかなように，本発明に係るロールペーパー巻取り器によれば，片手の操作により容易にロールペーパーを巻取り，切り取ることが出来る。
【実施例２】
【００４１】
次に，図１９および図２０に示す本発明に係るロールペーパー巻取り器の他の実施例について説明する。
【００４２】
図１９において，巻取り部５５は上部に設けられ，ロールペーパー保持部５２が下部に設けられて，上記実施例１の場合と上下逆の構成としている。また実施例１で設けられていたロールペーパー１の繰り出し流路を，巻取り部５５側に規制する規制手段，および該規制手段の下方に設けられていたドクターナイフ状のブレード部は本実施例２では設けてられていない。これらの差異を除いた他の構成と各部材の動きは実施例１と同一であり詳しい説明は省略する。
【００４３】
なお，巻取り部５５は，左側巻取り部５３と右側巻取り部５４とで一体として形成され，左側巻取り部５３はフランジ部５３ａと左側巻取り体５３ｂにて形成され，右側巻取り部５４はフランジ部５４ａと右側巻取り体５４ｂにて形成されている。また５７はカッター部である。また，カッター部５７は，ロールペーパーを上から押さえる規制手段となっており，このカッター部５７は，上から本体を押さえたときに刃が露出する構造となる。これにより，ユーザの安全が確保される。
【実施例３】
【００４４】
次に，図２１および図２２に示す本発明に係るロールペーパー巻取り器の他の実施例について説明する。
【００４５】
図２１において，巻取り部６５は左側に設けられ，ロールペーパー保持部６２が右側に設けられていて，上記実施例１を丁度右側に倒した横置き状態の構成としている。このロールペーパー保持部６２は，回転軸６２ａの下端に円板６２ｂが設けられており，この円板６２ｂにトイレットペーパーが乗った状態で回転する。回転軸６２ａは図示しない軸受により回転自在に支持される。また実施例１で設けられていた，ロールペーパー１の繰り出し流路を巻取り部５５側に規制する規制手段，及び該規制手段の下方に設けられていたドクターナイフ状のブレード部は本実施例３では設けてられていない。
【００４６】
前記を除いた他の構成と各部材の動きは実施例１と同一であり詳しい説明は省略する。
【００４７】
なお，巻取り部６５は，左側巻取り部６３と右側巻取り部６４とで一体として形成され，左側巻取り部６３はフランジ部６３ａと左側巻取り体６３ｂにて形成され，右側巻取り部６４はフランジ部６４ａと右側巻取り体６４ｂにて形成されている。また６７はカッター部である。
【実施例４】
【００４８】
次に，本発明のピンチを説明する。本発明のピンチは，一対の挟持片のそれぞれの中央部分を軸支することで，それぞれの挟持片が回動自在に形成され，挟持片が反復回動することによりの先端部と後端部が交互に開閉する。また，該一対の挟持片の先端部を下方に，後端部を上方に配設し，先端部内側を弾性変形自在の把持部と成している。このため，把持部に挟持されるタオルや洗濯物等は傷つくことが無い。
【００４９】
また，挟持片の後半部には把持部を開閉すると共に閉鎖状態を保持する開閉保持手段が設けられていて，該開閉保持手段を片手で操作することで，把持部を開放させ，また閉鎖させ，且つ該閉鎖状態を保持することができ，タオルや洗濯物等を傷つけることなく長時間吊り下げておくことができる。  
【００５０】
また，本発明のピンチは，上記開閉保持手段を，一対のレバー片のそれぞれの端部を可動軸にて回動自在に軸支し，該レバー片の各自由端を前記一対の挟持片の各後半部に回動自在に連接し，両レバー片を水平位置より上方に回動した位置で係止する如く形成している。さらに，可動軸を上方に移動させる懸垂移動手段が該可動軸に連接されていて，懸垂移動手段により可動軸を上方に懸垂移動させると該挟持片の後端部が閉じると同時に把持部が開放する。この状態から可動軸を下方に引き下げると，挟持片の後端部が開くと同時に把持部が閉鎖する。このように可動軸を懸垂移動手段により上方に移動させ，また下方に引き下げることにより，把持部を開閉させることができ，かかる操作は片手にて行うことが出来る。
【００５１】
また前記開閉保持手段は，さらに前記レバー片を水平より上方に回動した位置で係止するように形成している。把持部の内側は弾性変形自在であるので，レバー片が水平位置にあるときに把持部が付勢状態で閉じられ，該付勢に対して把持部の弾性力が反力として抗し，該反力により挟持片の後端部が閉じる方向に付勢される。この付勢力によってレバー片が水平よりさらに上方に回動するが，レバー片は上記のように，水平より上方位置で回動が係止されるため，該係止と付勢力が釣り合って，把持部は閉鎖状態のまま該閉鎖が保持される。
【００５２】
次に，図２３乃至図３０に基づき本発明のピンチを詳細に説明する。図２３は，本発明の一実施例であるピンチ７０であって，該図２３のように一対の挟持片７１，７２が，その後端部７１ａ，７２ａに紐７３の一端が固着され，紐７３の他端を基板７４の裏面に穿設された穴部７４ａの近くに固着することにより吊り下げられている。
【００５３】
挟持片７１，７２は断面コの字状の両端が閉じた略樋型に形成され，その中央部の両側面には半円突起７１ｂ，７２ｂが突設され，該半円突起７１ｂと７２ｂが嵌合すると共に軸７５により回動自在に軸支されている。このため該軸７５を中心として挟持片７１，７２は反復回動し，これにより挟持片７１，７２の先端部７１ｃ，７２ｃと後端部７１ａ，７２ａが交互に開閉する。
【００５４】
挟持片７１，７２の先端部７１ｃ，７２ｃには，弾性変形自在の板ばね状で円弧形状の把持片７６，７７が収納されていて，その一端７６ａ，７７ａを挟持片７１，７２の先端両側面に回動自在に軸着され，他端の突起部７６ｂ，７７ｂが挟持片７１，７２の中央部付近の両側面７１ｄ，７２ｄに設けられた長穴７１ｅ，７２ｅに摺動自在に嵌合している。
【００５５】
円弧状の把持片７６，７７で把持部７８と成し，把持片７６，７７の凸部同士が当接している。把持部７８が閉鎖保持されているときは，把持片７６，７７の円弧が広がる状態で付勢状態と成っているため，先端部７１ｃ，７２ｃはわずかに広がる方向に付勢されることになる。
【００５６】
把持片７６，７７の構造は，先端部７１ｃ，７２ｃが閉じられた際に，該先端部７１ｃ，７２ｃを開く方向に付勢する機能を有していれば，例えばバネを内蔵したものや，弾性ゴム製のものなど，どのような形状・材質のものでも良い（下記変形例参照）。
【００５７】
挟持片７１，７２は上記のように後端部７１ａ，７２ａが紐７３により吊り下げられているため，先端部７１ｃ，７２ｃが下方に，後端部７１ａ，７２ａが上方に配設されている。
【００５８】
図２３において，挟持片７１，７２の中央部より上方の後半部であって，断面コの字状で略樋型の底面部７１ｆ，７２ｆには窓部７９が設けられていて，窓部７９には，レバー片８０，８１の自由端８０ａ，８１ａが挿通し，該自由端８０ａ，８１ａの中央部が挟持片７１，７２の後半部７１ｇ，７２ｇの側面に連接軸８８によって回動自在に連接されている。
【００５９】
レバー片８０，８１の端部８０ｂ，８１ｂは可動軸８３で回動自在に軸支され，該可動軸８３には懸垂紐８４が固着されている。懸垂紐８４は可動軸８３を上方に移動させる懸垂移動手段である。懸垂紐８４はアーム８５，懸垂筒８６，基板７４の穴部７４ａの順に挿通され，基板７４上に配設された懸垂紐８４の他端部には，穴部７４ａより大径の握り玉８７が固着されている。
【００６０】
アーム８５は上側に膨らんだ弓状に形成され，図２３においてアーム８５の端部８５ａ，８５ｂがレバー片８０，８１の自由端８０ａ，８１ａの端部に当接し，後述するように，可動軸８３を上方に懸垂移動させる際に，レバー片８０，８１の自由端８０ａ，８１ａがスムーズに下方向に回動するように成している。
【００６１】
またレバー片８０，８１は把持片７６，７７が閉鎖状態にあるときは，レバー片８０，８１の相対する小口面８０ｃ，８１ｃが当接して，水平よりわずかに上方に回動した位置で係止する如く形成されている。小口面８０ｃ，８１ｃは，左右の連接軸８８の中心を結ぶ線より可動軸８３の中心が若干下になるように角度が調整されている。このため，レバー片８０，８１はこれ以上回動することが無く，また把持片７６，７７が閉鎖状態にあるときは，上記のように先端部７１ｃ，７２ｃはわずかに開く方向に付勢状態にあるため，連接軸８８は内側方向に付勢されることになりレバー片８０，８１は上方に閉じようする。
【００６２】
しかし該レバー片８０，８１は小口面８０ｃ，８１ｃが当接しているため，この状態でロックされることになり，把持片７６，７７間にタオルや洗濯物等Ａが挟持されている場合は，該タオルや洗濯物等Ａは確実に挟持されると共に，脱落することが無い。
【００６３】
懸垂筒８６は基板７４の穴部７４ａの直径より大径に形成され，握り玉８７を引っ張った際には，該懸垂筒８６の上端部８６ａが基板７４の裏面に当接し，さらに懸垂紐８４が上方に引っ張られると，アーム８５の端部８５ａ，８５ｂがレバー片８０，８１の自由端８０a，８１ａを下方に押さえつけると共に，可動軸８３を懸垂して，挟持片７１，７２の後端部７１ａ，７２ａが閉じられると同時に先端部７１ｃ，７２ｃが開放されるように成っている。
【００６４】
操作手順
次に，以上のように構成されたピンチ７０について，タオルや洗濯物等Ａを片手の操作で着脱する操作手順について図２４乃至図２９に基づき詳細に説明する。
【００６５】
まず，タオルや洗濯物等Ａを把持部７８に挟持させるには，例えば図２８の状態において，親指と人差し指，中指，薬指等とでタオルや洗濯物等Ａを持ち，該タオルや洗濯物等Ａを把持片７６，７７の間に持っていき，図２９のように人差し指で可動軸８３を上から下方に引き下げる。
【００６６】
可動軸８３が下がると図２４のようにレバー片８０，８１が可動軸８３を中心にして翼が開くように上方に回動し，これに伴い連接軸８８は挟持片７１，７２の後半部７１ｇ，７２ｇを押し広げて後端部７１ａ，７２ａが開き且つ把持部７８が閉鎖する。レバー片８０，８１は，水平より上方に回動した位置で，小口面８０ｃ，８１ｃが当接することで係止し，可動軸８３は下げ止まり，把持部７８が閉鎖する際にタオルや洗濯物等Ａが挟持される。
【００６７】
把持片７６，７７は，その弾性的性質のため，該タオルや洗濯物等Ａは傷むことが無く，係る弾性により把持部７８は該タオルや洗濯物等Ａをしっかり挟持しながら開放方向にわずかに付勢されている。これにより挟持片７１，７２の後端部７１ａ，７２ａは閉鎖方向に付勢され，可動軸８３は下方向に付勢される。該可動軸８３はこれ以上下方には下がらないため，把持部７８が閉鎖状態でロック状態と成る。
【００６８】
次に，把持部７８を開いて，挟持されているタオルや洗濯物等Ａを取り外すには，図２５のように，握り玉８７を持ち上げ，懸垂紐８４を懸垂する。懸垂紐８４が引っ張れると懸垂筒８６の上端が基板７４の裏面に当接し，懸垂筒８６の下端がアーム８５の上部に当接すると共に，可動軸８３が上方に懸垂移動する。この際，アーム８５の端部８５ａ，８５ｂがレバー片８０，８１の自由端８０ａ，８１ａを押し下げ，図２６を経て可動軸８３がアーム８５の下部に当接する。
【００６９】
可動軸８３がアームの下部に完全に当接すると，アーム８５がピンチに対して相対上下動する押下手段となり，レバー片８０，８１が閉じると共に挟持片７１，７２の後端部７１ａ，７２ａが閉じ且つ把持部７８が開いて図２７のようになり，タオルや洗濯物等Ａが取り外される。
【００７０】
タオルや洗濯物等Ａを取り外し，握り玉８７を基板７４の上面に静置すれば，図２８の状態となって把持部７８は開放状態を保って，基板７４の下部に吊り下げられた状態と成る。
【００７１】
なお，図３０は上記実施例１に示したロールペーパー巻取り器１０の側面に基板７４を水平状態に固着し，ピンチ７０を取り付けた状態を示している。
【００７２】
このように，本発明であるロールペーパー巻取り器とピンチを併設すれば，片手が使えない人が，ロールペーパーを所定量繰り出して切り取り，かつタオル等をピンチに着脱するに当たって極めて便利である。
【００７３】
なお，変形例として以下の構成を採用できる（以下，上記実施例と共通の構造については説明及び符号を省略することがある）。図３１に示すように，実施例３のロールペーパー巻取り器（図２１参照）に実施例１で設けられていた，ロールペーパー１の繰り出し流路を巻取り部５５側に規制する規制手段１５，及び該規制手段１５の下方に設けられていたブレード部を設けても良い。
【００７４】
また，図３２に示すように，ロールペーパー保持部２を省略し，このロールペーパー保持部２を支持している本体の一部を省略しても良い。この場合，本体の背面１０ｄの上部端縁に長穴１０ｅを有する取付片１０ｆを設け，突起等に引っ掛けて壁等に係止することで固定する。具体的には，既存のトイレットペーパーホルダ２００の下方に固定して，全体として実施例１のロールペーパー巻取り器１０と同等の機能を持たせるようにする。
【００７５】
また，図３３に示すように，左側巻取り体３ｂおよび右側巻取り体４ｂの形状は，円筒状に毛を成形したプラスチック製のブラシ形状であっても良い。円筒状のブラシ形状の場合，左側巻取り体３ｂおよび右側巻取り体４ｂを突き合わせることでロールペーパーを保持しやすく，且つ，円筒状の周囲ではその毛がプラスチック製であるため，ロールペーパーが滑りやすい。このため，ロールペーパーを取り外しやすい。また，ブラシ形状であるので，全体として弾性体といえる。
【００７６】
図３４は，ピンチ７０の把持片の変形例を示す説明図である。把持片７６，７７は，同図（ａ）に示すように，表面に凹凸９１を設けても良い。また，把持片７６，７７は，同図（ｂ）に示すように，先端部７１ｃ，７２ｃが湾曲反転し円弧形状の板ばねを構成しても良い。また，把持片７６，７７は，同図（ｃ）に示すように，弾性体９２に複数の穴を設けた構造としても良い。更に，同図（ｄ）に示すように，把持片７６，７７は，把持片７６，７７と挟持片７１，７２との間にスプリング９３を介在させた構造としても良い。更に，同図（ｅ）に示すように，把持片７６，７７は挟持片７１，７２の軸７５付近に回転自在に軸止され且つ全体として弾性変形自在の板ばね状の円弧形状である。また，軸止されている部分には，ねじりバネ９４が設けられ，当該ねじりバネ９４により把持片７６，７７は，内側に付勢されている。これらのいずれの構成によっても，先端部７１ｃ，７２ｃが閉じられた際に，該先端部７１ｃ，７２ｃを開く方向に付勢する機能を備えることができる。
【００７７】
図３５は，巻き取りハンドル部７の変形例を示す斜視図である。回転円板７ａを正面に配置し，回転円板７ａの裏面に歯を形成すると共に当該歯に噛み合うギア９５を設け，回転円板７ａ及びギア９５を取付片９６に軸止した構造である。取付片は，図３６に示すように，回転軸４ｄの軸受に装着することで当該回転軸４ｄとギア９５が内部で連結し，巻き取りハンドル７ｂをまわすことで回転円盤７ａの回転がギア９５を介して回転軸４ｄに伝わる。このようにすれば，ユーザはロールペーパー巻取り器１０の正面からロールペーパーを巻き取ることができる。
【００７８】
図３７は，ピンチ７０の別の変形例を示す説明図であり，同図（ａ）に開放状態，同図（ｂ）に閉じた状態を示す。このピンチ２００は，上記実施例１のピンチ７０の紐７３をアーム２０１の中央付近に直接接続し，このアーム２０１の両端にフック部２０２を設けた点が異なるそのほかの構成は実施例１と同じであるからその説明を省略する。このように，紐７３をアーム２０１の中央に接続することで実施例１のピンチ７０とは異なる動作をする。
【００７９】
操作手順
同図（ｂ）に示すように，タオルや洗濯物等Ａを把持部７８に挟持させるには，例えば同図（ａ）の状態において，親指と人差し指，中指，薬指等とで洗濯物等を持ち，該洗濯物等を把持片７６，７７の間に持っていき，洗濯物Ａごと先端部７１ｃ，７２ｃを指で挟む。これに伴い，挟持片７１，７２の後半部７１ｇ，７２ｇが開き，可動軸８３が下がると共にレバー片８０，８１が可動軸８３を中心にして翼が開くように上方に回動する。レバー片８０，８１は，水平より上方に回動した位置で，小口面８０ｃ，８１ｃが当接することで係止し，可動軸８３は下げ止まり，把持部７８が閉鎖する際にタオルや洗濯物等Ａが挟持される。
【００８０】
把持片７６，７７は，その弾性的性質のため，該タオルや洗濯物等は傷むことが無く，係る弾性により把持部７８は該タオルや洗濯物等をしっかり挟持しながら開放方向にわずかに付勢されている。これにより挟持片７１，７２の後端部７１ａ，７２ａは閉鎖方向に付勢され，可動軸８３は下方向に付勢される。該可動軸８３はこれ以上下方には下がらないため，把持部７８が閉鎖状態でロック状態と成る。
【００８１】
次に，把持部７８を開いて，挟持されているタオルや洗濯物等を取り外すには，握り玉（図示省略）を持ち上げ，懸垂紐８４を懸垂する。懸垂紐８４が引っ張れると懸垂筒８６の上端が基板（図示省略）の裏面に当接し，懸垂筒８６の下端がアーム２０１の上部に当接すると共に，可動軸８３が上方に懸垂移動する。これにより，挟持片７１，７２の後端部７１ａ，７２ａが閉じ且つ把持部７８が開いて，タオルや洗濯物等が取り外される。
【００８２】
また，可動軸８３が上方に懸垂移動して，挟持片７１，７２の半円状の切り欠き２０３に入り込み，そのままの姿勢が保持される。なお，アーム２０１は，図３７とは逆方向の円弧形状であっても良い。この場合，挟持片７１，７２が開放状態の際，自重で開きやすくなる。また，懸垂紐８４と懸垂筒８６との間に一定の摩擦力を与え，懸垂紐８４を引っ張った後，その位置で保持されるようにしても良い。このようにすれば，挟持片７１，７２が開放状態で保持される。
【００８３】
また，上記ピンチ７０，２００をフレーム（基板７４に相当）に複数取り付けて物干し器として使用できる。その際，すべてのピンチ７０，２００の懸垂紐８４は最終的にひとつの紐に連結してワンアクションですべてのピンチ７０，２００が開くようにしても良い。また，ピンチ７０，２００をフレームに複数取り付け，このフレームの上部に略同じ形状の別のフレームを可動状態で取り付け，当該別のフレームに設けた穴に前記ピンチ７０，２００の懸垂紐８４を通し，この懸垂紐８４の端部の握り玉が当該別のフレーム上面に位置するようにしても良い。そして，当該別のフレームを引き上げることで，全ての懸垂紐８４が引き上げられてワンアクションで全てのピンチ７０，２００を開くようにしても良いし，各握り玉を個別に引き上げてピンチ７０，２００を個々に開くようにしても良い。
【００８４】
（付記項）
従来，トイレットペーパーやキッチンペーパー等のロールペーパーを，所定量繰り出し，切り取るには，回転自在に保持されたロールペーパーの先端部を指で取り出し，次に両手を交互に使ってロールペーパーを手繰り寄せるようにして順次繰り出し，その後回転するロールペーパーを片方の手で押さえて回転を停止させながら，鋸歯状のカッター部に，繰り出したロールペーパーの切断しようとする部分を押し当てていた。
【００８５】
一方，このような両手での操作が必要であるという不便さを改良するため，例えば幼児を片手で抱いていたり，片方の手が不自由な場合等に，片手の操作だけでロールペーパーを所定量繰り出し，切り取ることが出来る，ロール状トイレットペーパーの紙引き出し装置（特許文献１）や，巻取り器（特許文献２）が提案されている。
【００８６】
特許文献１に係るロール状トイレットペーパーの紙引き出し装置は，一対の隔置された棒部材を一体として手動あるいは電動で回動させる手段と，前記棒部材が所定量回動した後，ロール紙の巻き戻し回転を固定する手段を有し，前記ロール紙からの巻戻し紙が前記棒部材の間を通過して下方へ伸長した後，前記棒部材を回動させることを特徴とし，一方，特許文献２に係る巻取り器は，引き出したロールペーパーの巻取りを行う巻取り器であって，回動自在に軸支される板体と，該板体の回動方向を規制する手段を有することを特徴としている。
【００８７】
特許文献１：特開２００５−６５７１５号公報
特許文献２：特開２００７−１０５３２８号公報
【００８８】
しかし，特許文献１に係るロール状トイレットペーパーの紙引き出し装置及び特許文献２に係る巻取り器は，棒部材又は板体にロールペーパーを巻き取った後，棒部材又は板体の回転又は回動を停止させるための特別の手段を必要とし，このため構成が複雑であるという課題があった。また係る棒部材又は板体にロールペーパーを巻き取らせるためには，ロールペーパーの先端部を棒部材又は板体に仮固定するというような細かな操作が必要であり，このような操作は，片手が使えない人にとって，かえって大きな負担となるという課題があった。
【００８９】
付記項に係る発明が解決しようとする課題は，操作をする人に過度の負担をかけることなく，片手でロールペーパーを巻取り，切り取ることが出来，かつロールペーパーを巻き取る部分の回転又は回動を停止させるための特別の手段を設ける必要がない，構造が簡易なロールペーパー巻取り器を提供することにある。
【００９０】
付記項１記載の発明は，左側巻取り部と右側巻取り部を回転軸が一致する如くそれぞれ回転自在に軸支し，左側巻取り部の右小口と右側巻取り部の左小口を当接させて一体の巻取り部と成し，左側巻取り部の右小口と右側巻取り部の左小口の間を手指が通過可能な如く，左側巻取り部および右側巻取り部を弾性変形自在に形成したことを特徴とするロールペーパー巻取り器を提供する。
【００９１】
付記項２記載の発明は，左側巻取り部と右側巻取り部が弾性スポンジ又はシリコンゴムから成ることを特徴とする付記項１記載のロールペーパー巻取り器を提供する。
【００９２】
付記項３記載の発明は，巻取り部の小口側の側面部に巻取りハンドル部を備えたことを特徴とする付記項１または付記項２記載のロールペーパー巻取り器を提供する。
【００９３】
付記項４記載の発明は，左側巻取り部と右側巻取り部の両回転軸が手前方向に開放自在に形成されていることを特徴とする付記項１乃至付記項３記載のロールペーパー巻取り器を提供する。
【００９４】
付記項５記載の発明は，巻取り部の上方にロールペーパーの繰り出し流路を巻取り部側に規制する規制手段を設け，該規制手段の下方にブレード部を巻取り部の回転軸と並行に設け，ロールペーパーを規制手段とブレード部との間を通過させ，巻取り部にロールペーパーを巻き取る際には規制手段にロールペーパーが当接し，巻取り部に巻回したロールペーパーを左側巻取り部と右側巻取り部の間を下方向に通過させて抜き取る際には，ブレード部にロールペーパーが当接する如く形成したことを特徴とする付記項１乃至付記項４記載のロールペーパー巻取り器を提供する。
【００９５】
付記項６記載の発明は，ブレード部が弾性体より成ることを特徴とする付記項５記載のロールペーパー巻取り器を提供する。
【００９６】
付記項７記載の発明は，一対の挟持片の両中央部分を回動自在に軸支し，該挟持片が反復回動することにより先端部と後端部が交互に開閉する如く形成し，該挟持片の先端部を下方に後端部を上方に配設して先端部内側を弾性変形自在の把持部と成し，該把持部を開閉すると共に閉鎖保持する開閉保持手段を挟持片の後半部に設けたことを特徴とするピンチを提供する。
【００９７】
付記項８記載の発明は，前記開閉保持手段を，一対のレバー片の各一端部を可動軸にて回動自在に軸支し，該レバー片の各自由端を前記一対の挟持片の各後半部に回動自在に連接し，両レバー片を水平より上方に回動した位置で係止する如く形成し，可動軸を上方に移動させる懸垂移動手段を可動軸に連接し，懸垂移動手段により可動軸を上方に懸垂移動させると挟持片の後端部が閉じ且つ把持部が開き，次に可動軸を下方に引き下げると，挟持片の後端部が開き且つ把持部が閉鎖し，レバー片が水平位置より上方に回動した位置で係止して，把持部が閉鎖状態のまま挟持片の後端部を閉鎖方向に付勢する如く形成していることを特徴とする付記項７記載のピンチを提供する。
【００９８】
（付記項に係る発明の効果）付記発明のロールペーパー巻取り器は，ロールペーパーを巻き取る際は，まずロールペーパーの先端部を左側巻取り部と右側巻取り部の当接部分に例えば親指等の指で押し込む。巻取り部は弾性変形自在であるため，該ロールペーパーの先端部は左側巻取り部の右小口と右側巻取り部の左小口に挟持される。この状態で巻取り部の外周部を手のひらや指で下向きの接線方向に力を加えれば巻取り部は回転し，ロールペーパーを所定量巻取り部に巻き取ることが出来る。
【００９９】
巻取り部に巻き取られた所定量のロールペーパーは，片方の手の親指と他の４本の指とで挟持し，つづいて左側巻取り部と右側巻取り部の弾性変形自在の性質を利用して，左側巻取り部と右側巻取り部の当接部分に当該手指を上部から下部方向に通過させることで，巻き取られたロールペーパーを巻取り部より抜き取ることが出来る。抜き取る際には巻き取られたロールペーパーの後端部が，巻取り部の弾性変形による復元によって再度左側巻取り部の右小口と，右側巻取り部の左小口に挟持される。
【０１００】
このように抜き取られたロールペーパーの後端部は，左側巻取り部の右小口と右側巻取り部の左小口に挟持されて固定状態にあるため，親指と他の指とで挟持されたロールペーパーをさらに下方に移動させれば，ロールペーパーを片手にて切り取ることが出来る。以上の説明で明らかなように，該一連の操作は，片手のみで行うことが出来るという効果がある。
【０１０１】
また，付記発明のロールペーパー巻取り器は，巻取り部に巻き取られたロールペーパーを左側巻取り部と右側巻取り部の当接部分から抜き取り，また巻取り部の弾性変形後の復元力により，巻き取られたロールペーパーの後端部が半自動的に挟持されて新たな先端部となり，巻取り部は回転することなく停止状態を保っている。このため，ロールペーパーの切り取りに際して，巻取り部の回転を停止させる機構を別途と必要せず，構造が簡易であるという効果がある。
【０１０２】
また，ロールペーパーの新たな先端部は上記のように，半自動的に左側巻取り部と右側巻取り部の間に挟持されるため，従来のようにロールペーパーの先端部を棒部材又は板体に仮固定するというような細かな操作が不要であり，片手が使えない人にとって，操作上の過度の負担がなく，極めて実用的であるという効果がある。
【０１０３】
また付記項２記載のロールペーパー巻取り器は，上記効果のほか，左側巻取り部と右側巻取り部が弾性スポンジから成るため，軽量であって，このため巻取り部の回転が容易であり，またスポンジ表面の凹凸により，ロールペーパーを確実に挟持できるという効果がある。
【０１０４】
また付記項３記載のロールペーパー巻取り器は，上記効果のほか，巻取り部の小口側の側面部に巻取りハンドル部を備えているため，該巻取りハンドル部の操作によって巻取り部を回転させることができ，これにより更に容易にロールペーパーを巻取り部に巻き取ることが出来る効果がある。
【０１０５】
また付記項４記載のロールペーパー巻取り器は，上記効果のほか，左側巻取り部と右側巻取り部の両回転軸が手前方向に開放自在に形成されているため，巻取り部に巻き取られたロールペーパーを，左側巻取り部と右側巻取り部の当接部分で，上部から下部方向に通過させる際に，左側巻取り部と右側巻取り部が手前方向に開く状態になり，より簡単に巻取り部に巻き取られたロールペーパーを巻取り部より抜き取ることが出来る効果がある。また左側巻取り部と右側巻取り部が弾性変形自在に形成されているため，その弾性復元力により，開放された両回転軸は，速やかにもとに戻り閉じられた状態と成る。
【０１０６】
また付記項５記載のロールペーパー巻取り器は，上記効果のほか，巻取り部の上方にロールペーパーの繰り出し流路を巻取り側に規制する規制手段が設けられているため，巻取り部にロールペーパーを巻き取る際に適度の抵抗となり，必要以上にロールペーパーが繰り出されることが無く，また巻取り部が慣性力により回転しすぎて，必要量以上のロールペーパーが巻取り部に巻き取られることが無いという効果がある。
【０１０７】
加えて，該規制手段の下方にブレード部を巻取り部の回転軸と並行に設け，巻取り部に巻き取ったロールペーパーを左側巻取り部と右側巻取り部の間を下方に通過させて抜き取る際に，ブレード部にロールペーパーが当接する如く形成しているため，巻取り部に巻き取ったロールペーパーの後端部が，該ブレード部に当接して抵抗を生じ，該巻き取ったロールペーパーがさらに切り取り易くなるという効果がある。
【０１０８】
また付記項６記載のロールペーパー巻取り器は，上記効果のほか，ブレード部が弾性体より成るため，左側巻取り部と右側巻取り部の間を下方向に通過させて抜き取った積層状態のロールペーパーの後端部は，ブレード部の弾性変形によるたわみの効果によって，該ブレード部と当接している部分では不用意に切断することが無く，切り取りたい他の部分で，ロールペーパーを切り取ることが出来るという効果がある。
【０１０９】
また付記発明のピンチは，開閉保持手段を片手で操作することで，容易に把持部にタオルや洗濯物等を着脱することができ，また把持部は弾性変形自在であるため，タオルや洗濯物等が傷むことが無いという効果がある。
【０１１０】
また付記項８記載のピンチは，レバー片を回動自在に軸支している可動軸を懸垂移動手段によって片手で懸垂移動させて把持部を開くことができ，また可動軸を片手で下方に引き下げることで，把持部にタオルや洗濯物等を容易に挟みこみ，その状態を確実に保持することが出来る効果がある。
【０１１１】
（付記発明の実施の形態）
第１のロールペーパー巻取り器は，左側巻取り部と右側巻取り部が，回転軸が一致する如く回転自在に軸支されている。また左側巻取り部の右小口と右側巻取り部の左小口を当接させて一体の巻取り部と成している。このため，繰り出されるロールペーパーの先端部は左側巻取り部の右小口と右側巻取り部の左小口に挟持され，巻取り部が回転することで，当該巻取り部に巻回される。
【０１１２】
また，左側巻取り部の右小口と右側巻取り部の左小口の間（以下，「当接部間」という）は手指が通過可能な如く，左側巻取り部および右側巻取り部は弾性変形自在に形成されている。これにより，巻取り部に巻回されて積層状態のロールペーパーは，手指に挟んだ状態で下方向に当接部間を通過させることができ，結果として左側巻取り部及び右側巻取り部からすり抜けて，巻取り部から抜き取ることが出来る。
【０１１３】
抜き取られた巻回積層状態のロールペーパーの後端部は，左側巻取り部および右側巻取り部の弾性変形後の復元によって半自動的に当接部間に挟持され，該ロールペーパーをさらに下方向に引き下げて切り取ることが出来る。
【０１１４】
また，第２のロールペーパー巻取り器は，左側巻取り部と右側巻取り部が弾性スポンジ又はシリコンゴムで形成されている。弾性スポンジの表面は凹凸状態に成っているため，当接部間において，ロールペーパーの端部が確実に挟持される。また，シリコンゴムの場合も当接部間においてロールペーパーを確実に挟持できる。
【０１１５】
また，第３のロールペーパー巻取り器は，巻取り部の小口側の側面部に巻取りハンドル部を備えている。したがって該巻取りハンドル部を回転させることにより巻取り部を回転させることができ，これによりロールペーパーが巻取り部に巻回される。
【０１１６】
また，第４のロールペーパー巻取り器は，左側巻取り部と右側巻取り部の両回転軸が手前方向に開放自在に形成されている。このため巻取り部に巻き取られた積層状態のロールペーパーを当接部間から抜き取る際に，左側巻取り部の右小口と，右側巻取り部の左小口が開放され，巻回積層状態のロールペーパーは，左側巻取り部と右側巻取り部の両回転軸が固定されているときと比較して，より簡単に巻取り部より抜き取ることが出来る。
【０１１７】
また，第５のロールペーパー巻取り器は，左側巻取り部と右側巻取り部とで一体となった巻取り部の全幅にわたって，巻取り部に巻き取られるロールペーパーの繰り出し流路を巻取り部側に軽く押さえつけるように規制する規制手段が設けられている。このため巻取り部にロールペーパーを巻き取る際に適度の抵抗が生じ，必要とするロールペーパーが必要とするだけ巻取り部に巻き取られる。
【０１１８】
さらには，上記規制手段の下方にブレード部が巻取り部の回転軸と並行に設けられ，巻取り部に巻回され積層状態のロールペーパーを当接部間から抜き取る際には，ブレード部にロールペーパーが当接する如く形成されている。このため，巻回積層状態のロールペーパーを巻取り部から抜き取って，さらに下方向に引き下げれば，ブレード部との当接部分で抵抗を受けることとなり，該巻回積層状態のロールペーパーは希望する部分で切り取り易くなる。
【０１１９】
また，第６のロールペーパー巻取り器は，ブレード部が弾性体により形成されている。このため，巻取り部より抜き取られた巻回積層状態のロールペーパーは，ブレード部のたわみによって，ブレード部との当接部分で不用意に切れることがない。
【実施例５】
【０１２０】
次に，本発明に係るピンチ及び吊り具の最適な実施例を以下に説明する。
【０１２１】
図３８は，本発明の実施例５に係る洗濯干しを示す斜視図である。図３９は，本発明の実施例５に係るピンチを示す斜視図であり，（ａ）が閉じた状態，（ｂ）が開いた状態を示す。この洗濯干し５００は，両端に設けた端プレート５０１と，端プレート５０１の間に設けた中央プレート５０２と，端プレート５０１と中央プレート５０２との間に渡される短冊状の上部基板５０３及び下部基板３７４と，複数のピンチ５５０とを備えている。上部基板５０３及び下部基板３７４は上下一対が中央プレート５０２及び端プレート５０１との間に並行して渡されている。各端プレート５０１の上部には，フック５０４が回転可能に取り付けられている。また，各端プレート５０１には，ハンドル５０５が設けられている。
【０１２２】
中央プレート５０２は，下端縁に回転軸５０６が通った蝶板構造となっており，上側に開くことができる。これにより洗濯干し全体が半分に折り畳み可能となる（図示省略）。下部基板３７４には，比較的大きな穴５０７が各ピンチ５５０に対応して設けられている。詳細には，一つの下部基板３７４には，２列に４個の穴５０７が設けられており，各穴５０７の下側にピンチ５５０が吊るされている。また，上部基板５０３には，各ピンチ５５０に対応した懸垂紐３８４を通す穴５０８が設けられている。各ピンチ５５０の懸垂紐３８４は，上部基板５０３の穴５０８を通って上側に出されて集められ，端プレート５０１の側面上部の長穴５０９に通される。長穴５０９を通された懸垂紐３８４は，ハンドル５０５のアーム５１０に取り付けられる。ハンドル５０５は，懸垂紐３８４に引っ張られて端プレート５０１に付勢される。
【０１２３】
ピンチ５５０は，一対の狭持片３７１，３７２を備え，先端部に把持片３７６を有する。把持片３７６は，プラスチック製又はゴム製であり弾性変形可能な素材からなる。断面形状は楕円形であり，内部に補強部３９１が形成されている。狭持片３７１，３７２の先端部３７１ｃには長穴３７１ｅが設けられており，把持片３７６の突起３９２が当該長穴３７１ｅ，３７２ｅに嵌って当該把持片３７６が狭持片３７１，３７２に固定される。また，把持片３７６の外側には凹凸面３９３が形成されており，狭持片３７１，３７２の先端部３７１ｃ，３７２ｃに取り付けた際に外側に露出する。この部分をユーザが指でつまむことになる。
【０１２４】
一対の狭持片３７１，３７２は中央付近で軸３７５により洗濯バサミ状に組まれており，当該軸３７５で回動可能となる。狭持片３７１，３７２の上部には穴３９４が設けられている。レバー片３８０，３８１は，狭持片３７１，３７２の内部に回動自在に嵌め込まれている。レバー片３８０，３８１の中央付近には連接軸３８８が設けられ，前記狭持片３７１，３７２上部の穴３９４に挿入され，その結果，レバー片３８０，３８１が回動可能となる。レバー片３８０，３８１の自由端３８０ａ，３８１ａには，下部基板３７４に当接する球状部３９５が形成されている。また，レバー片３８０，３８１同士は，端部３８０ｂ，３８１ｂの下部にて可動軸３８３により接続されている。レバー片３８０，３８１は，端部３８０ｂ，３８１ｂの下部を中心に回動するのでレバー片３８０，３８１が開いた状態でレバー片３８０，３８１の端部同士が突き合わされて，それより上側に回動しない状態となる（同図（ａ）の状態）。
【０１２５】
懸垂紐３８４は，当該可動軸３８３に取り付けられている。狭持片３７１，３７２の外側面には，レバー片３８０，３８１が嵌り込む窓部３７９が設けられている。同図（ｂ）にレバー片３８０，３８１が窓部３７９に嵌り込んでいる状態を示す。また，下部基板３７４の穴５０７の径は，レバー片３８０，３８１が開いた状態の自由端３８０ａ，３８１ａ同士の間隔より小さい。
【０１２６】
図４０は，本発明の実施例５のピンチの上部基板への取り付け状態を示す説明図である。上部基板５０３の穴５０８の周囲には，取付片５１１が設けられている。取付片５１１には，狭持片３７１，３７２の上部の突起３９６に取り付けた紐３７３が接続されている。具体的には，各狭持片３７１，３７２の上部には２つの突起３９６が設けられ，下記突起３９６に紐３７３が取り付けられ，この紐３７３が下部基板３７４の穴５０７を通って上部基板５０３の取付片５１１に接続されている。懸垂紐３８４は，下部基板３７４の穴５０７を通って上部基板５０３の穴５０８からその上側に通され，ハンドル５０５まで伸びて接続される。
【０１２７】
図４１は，本発明の実施例５に係る洗濯干しのピンチの動作を示す説明図である。同図（ａ）に示すように，洗濯物Ａを把持片３７６，３７７により狭持する場合，ユーザが洗濯物Ａを把持片３７６，３７７の間に入れ，狭持片３７１，３７２の両側（把持片３７６，３７７の凹凸面３９３）をつまむ。これにより，狭持片３７１，３７２が軸３７５を中心に回動し，更に力を入れてつまむことで把持片３７６，３７７の弾性力により洗濯物Ａが挟み押さえられると共に狭持片３７１，３７２の後端部３７１ａ，３７２ａが開く。これにより，連接軸３８８の間隔が広がってレバー片３８０，３８１が可動軸３７５を中心に回動して開き，その端部３８０ｂ，３８１ｂが突き合わされた状態になる。レバー片３８０，３８１は，開いた状態で極僅かに谷状となって把持片３７６，３７７の弾性力により端部３８０ｂ，３８１ｂが突き合わされたつっぱり状態を維持する。
【０１２８】
次に，ハンドル５０５を引くと，同図（ｂ）に示すように，アーム５１０に接続した懸垂紐３８４が引かれ，懸垂紐３８４が接続した可動軸３８３をもってピンチ全体が引き上げられる。これにより，ピンチ５５０の狭持片３７１，３７２が穴５０７を通るが，レバー片３８０，３８１の球状部３９５は下部基板３７４の穴５０７の周囲に当たるので，レバー片３８０，３８１が下方に押される。即ち，ピンチ５５０に対して相対移動する下部基板３７４の穴５０７の周囲が押下手段となり，レバー片３８０，３８１の自由端３８０ａ，３８１ａを押すことになる。これにより，レバー片３８０，３８１の端部端部３８０ｂ，３８１ｂの突き合わせ状態が崩れ，レバー片３８０，３８１が閉じる。
【０１２９】
レバー片３８０，３８１が閉じるとき，レバー片３８０，３８１が可動軸３７５を中心に回動することになり，当該レバー片３８０，３８１の連接軸３８８の間隔が狭くなって，この連接軸３８８に回動状態で係合する狭持片３７１，３７２の後端３７１ａ，３７２ａが閉じることになる。なお，レバー片３８０，３８１は，閉じたとき狭持片３７１，３７２の窓部３７９の中に収まる。これにより，同図（ｃ）に示すように，狭持片３７１，３７２の先端の把持片３７６，３７７が完全に開き，洗濯物Ａの狭持が解かれる。そして，ハンドル５０５を離すと，ピンチ５５０が下降して元の位置に戻り，全てのピンチ５５０の自重によりハンドル５０５が端プレート５０１まで引かれて戻る。
【０１３０】
以上，この実施例５に係る洗濯干し５００によれば，ハンドル５０５を引くワンアクションで全てのピンチ５５０から洗濯物Ａを取り外すことができる。また，上部基板５０３の懸垂紐３８４を個別に引くことで特定のピンチ５５０の解放動作を行うこともできる。なお，この洗濯干し５００は，吊り具として洗濯物以外のものも吊るすことができる。
【０１３１】
なお，実施例５では，ハンドル５０５が端プレート５０１に戻っている状態で各ピンチ５５０が下部基板３７４から下側の一定距離に位置するが，懸垂紐３８４の長さをピンチ５５０毎に変え，ハンドル５０５を引いたときに，ピンチ５５０のレバー片３８０，３８１が異なるタイミングで穴５０７の周囲に当たるようにしても良い。このようにすれば，ピンチ５５０が順に解放動作をするようになるので，ハンドル５０５を引く力を分散できる。
【実施例６】
【０１３２】
図４２は，本発明の実施例６に係る洗濯干しを示す説明図である。この洗濯干しは，ピンチは上記実施例５のピンチと略同様であるが，懸垂紐３８４を省略した点が異なる。また，本体は，下部基板３７４の全体を下方に引き下げることが可能であり，そのためのハンドル５６１を下部基板３７４の下側に設けた点に特徴がある。
【０１３３】
具体的には，ピンチ５５０の紐３７３は，下部基板３７４の穴５０７を通じて上部基板５０３の下側に設けた取付片５１１に吊り下げられている。下部基板３７４は，上部基板５０３に対してスプリング等の伸縮性のある構造体により接続され，ハンドル５６１を引き下げることで下部基板３７４全体が下にさがるようになっている。ピンチ５５０に洗濯物を狭持する方法は，上記実施例５と同様である。ピンチ５５０から洗濯物を取り外すには，ユーザがハンドル５６１を引くことで下部基板３７４を下げればよい。これにより狭持片３７１，３７２が穴５０７を通る一方でレバー片３８０，３８１の球状部３９５が下部基板３７４の穴５０７の周囲に当接し，レバー片３８０，３８１が下方に押される。即ち，ピンチ５５０に対して相対移動する下部基板３７４の穴５０７の周囲が押下手段となり，レバー片３８０，３８１の自由端３８０ａ，３８１ａを押すことになる。これにより，レバー片３８０，３８１の端部３８０ｂ，３８１ｂの突き合わせ状態が崩れ，レバー片３８０，３８１が閉じる。
【０１３４】
レバー片３８０，３８１が閉じるとき，レバー片３８０，３８１が可動軸３８３を中心に回動することになるため，当該レバー片３８０，３８１の連接軸３８８の間隔が狭くなり，この連接軸３８８に回動状態で係合する狭持片３７１，３７２の後端３７１ａ，３７２ａが閉じることになる。これにより，狭持片３７１，３７２の先端の把持片３７６，３７７が完全に開き，洗濯物の狭持が解かれる。そして，ハンドル５６１を離すと，下部基板３７４は元の位置に上昇する。
【０１３５】
この実施例６による洗濯物干しによれば，実施例５の洗濯干し５００の基本的作用・効果を備え，且つ，懸垂紐３８４を省略できるので構造を簡素化できる。また，ハンドル５６１を下方に引っ張る形式であるため，フック５０４を物干し竿等に引っ掛けた状態で操作しやすい。なお，上部基板５０３と下部基板３７４とが相対上下動すればピンチ５５０のレバー片３８０，３８１を押下できるので，上部基板５０３を引き上げてピンチ５５０の解放を行うこともできる（図示省略）。
【実施例７】
【０１３６】
図４３は，本発明の実施例７に係る洗濯干しを示す説明図である。この洗濯干しでは，ピンチ５５０は上記実施例５のピンチと略同様であるが，懸垂紐３８４を省略した点が異なる。また，下部基板３７４の全体を下方に引き下げることでピンチ５５０の解放動作を行うことが可能である。
【０１３７】
具体的には，ピンチ５５０の紐３７３は，下部基板３７４の穴５０７を通じて上部基板５０３の下側に設けた取付片５１１に吊り下げられている。下部基板３７４の両端には突出部５６２が設けられ，この突出部５６２が上部基板５０３の穴５６３を貫通して上部に出ている。係止レバー５６４の先端は鍵部５６５となっており，この鍵部５６５が突出部５６２の穴５６７に係合して下部基板３７４が上位置で保持される。また，下部基板３７４と上部基板５０３との間には，突出部５６２の周囲にスプリング５６８が配置されている。このスプリング５６８により上部基板５０３と下部基板３７４とが接続されている。
【０１３８】
ピンチ５５０に洗濯物を狭持する方法は，上記実施例５と同様である。ピンチ５５０から洗濯物を取り外すには，ユーザが係止レバー５６４を回すことで突出部５６２との係合状態を外し，スプリング５６８の作用により下部基板３７４を下げる。これにより狭持片３７１，３７２が穴５０７を通る一方でレバー片３８０，３８１の球状部３９５が下部基板３７４の穴５０７の周囲に当接し，レバー片３８０，３８１が下方に押される。即ち，ピンチ５５０に対して相対移動する下部基板３７４の穴５０７の周囲が押下手段となり，レバー片３８０，３８１の自由端３８０ａ，３８１ａを押すことになる。レバー片３８０，３８１の端部の突き合わせ状態が崩れ，レバー片３８０，３８１が閉じる。
【０１３９】
レバー片３８０，３８１が閉じるとき，レバー片３８０，３８１が可動軸３８３を中心に回動することになるため，当該レバー片３８０，３８１の連接軸３８８の間隔が狭くなり，この連接軸３８８に回動状態で係合する狭持片３７１，３７２の後端が閉じることになる。これにより，狭持片３７１，３７２の先端の把持片３７６，３７７が完全に開き，洗濯物の狭持が解かれる。次の使用時には，下部基板３７４を押し上げて突出部５６２を上げ，係止レバー５６４の鍵部５６５を穴５６７に係合させることで，下部基板３７４が上位置で保持されるので，ピンチ５５０に洗濯物を狭持できるようになる。
【０１４０】
この実施例７による洗濯物干しによれば，実施例５の洗濯干し５００の基本的作用・効果を備え，且つ，懸垂紐３８４を省略できるので構造を簡素化できる。また，係合レバー５６４を外すことで，スプリング５６８の力で下部基板３７４が下がり，ピンチ５５０の狭持を解放できるので，解放時に力がいらない。なお，上部基板５０３と下部基板３７４とが相対上下動すればピンチ５５０のレバー片３８０，３８１を押下できるので，上部基板５０３がスプリングにより持ちあがるようにしても良い（図示省略）。
【符号の説明】
【０１４１】
１  ロールペーパー
１ａ  ロールペーパー
２  ロールペーパー保持部
３，５３，６３  左側巻取り部
３ａ，５３ａ，６３ａ  フランジ部
３ｂ，３３ｂ，３４ｂ，３５ｂ，３６ｂ，６３ｂ  左側巻取り体
３ｃ  フィルム
４，５４，６４  右側巻取り部
４ａ，５４ａ，６４ａ  フランジ部
４ｂ，５４ｂ，６４ｂ  右側巻取り体
５，５５，６５  巻取り部
６，８  回動軸受部
７，９  巻取りハンドル部
７ａ，９ａ  回転円板
７ｂ，９ｂ  回転ハンドル
１０  ロールペーパー巻取り器
１０ａ，１０ｂ  本体側面
１０ｃ  本体底面部
１１ａ，１１ｂ，１３ａ，１３ｂ  回動軸
１２，１４  回動軸受板
１５  規制手段
１５ａ  駒
１６  ブレード部
１６ａ  弾性体
１７，５７，６７  カッター部
１８  ロールペーパーカバー
３３ｃ  切れ込み
７０  ピンチ
７１，７２  挟持片
７１ａ，７２ａ  後端部
７１ｂ，７２ｂ  半円突起
７１ｃ，７２ｃ  先端部
７１ｄ，７２ｄ  側面
７１ｅ，７２ｅ  長穴
７１ｇ，７２ｇ  後半部
７３  紐
７４  基板
７４ａ  穴部
７５  軸
７６，７７  把持片
７６ａ，７７ａ  一端
７６ｂ，７７ｂ  突起部
７８  把持部
７９  窓部
８０，８１  レバー片
８０ａ，８１ａ  自由端
８０ｂ，８１ｂ  端部
８０ｃ，８１ｃ  小口面
８３  可動軸
８４  懸垂紐
８５  アーム
８６  懸垂筒
８７  握り玉
８８  連接軸
Ａ  タオルや洗濯物等
【図１】
2011212435.tif 000003
【図２】
2011212435.tif 000004
【図３】
2011212435.tif 000005
【図４】
2011212435.tif 000006
【図５】
2011212435.tif 000007
【図６】
2011212435.tif 000008
【図７】
2011212435.tif 000009
【図８】
2011212435.tif 000010
【図９】
2011212435.tif 000011
【図１０】
2011212435.tif 000012
【図１１】
2011212435.tif 000013
【図１２】
2011212435.tif 000014
【図１３】
2011212435.tif 000015
【図１４】
2011212435.tif 000016
【図１５】
2011212435.tif 000017
【図１６】
2011212435.tif 000018
【図１７】
2011212435.tif 000019
【図１８】
2011212435.tif 000020
【図１９】
2011212435.tif 000021
【図２０】
2011212435.tif 000022
【図２１】
2011212435.tif 000023
【図２２】
2011212435.tif 000024
【図２３】
2011212435.tif 000025
【図２４】
2011212435.tif 000026
【図２５】
2011212435.tif 000027
【図２６】
2011212435.tif 000028
【図２７】
2011212435.tif 000029
【図２８】
2011212435.tif 000030
【図２９】
2011212435.tif 000031
【図３０】
2011212435.tif 000032
【図３１】
2011212435.tif 000033
【図３２】
2011212435.tif 000034
【図３３】
2011212435.tif 000035
【図３４】
2011212435.tif 000036
【図３５】
2011212435.tif 000037
【図３６】
2011212435.tif 000038
【図３７】
2011212435.tif 000039
【図３８】
2011212435.tif 000040
【図３９】
2011212435.tif 000041
【図４０】
2011212435.tif 000042
【図４１】
2011212435.tif 000043
【図４２】
2011212435.tif 000044
【図４３】
2011212435.tif 000045